(57)【要約】【課題】市場上場企業のＩＲ活動を支援して、市場運営母体が運営する市場を活性化させるためのしくみを提供すること。【解決手段】市場上場企業のＷｅｂサーバ１および市場運営母体のＷｅｂサーバ２が、映像情報またはその保存先を示す情報を、市場上場企業のＷｅｂサーバ１から市場運営母体のＷｅｂサーバ２に通知する手順と、通知を受けた映像情報または保存先を示す情報を市場運営母体のＷｅｂサーバ２に格納し、コンテンツに関連付けて参照可能とする手順と、ネットワークに接続された閲覧者の端末からのアクセスによって、コンテンツを提示する手順と、閲覧者の端末からの映像情報または保存先を示す情報の提示の要求に応じて、市場上場企業のＷｅｂサーバ１または市場運営母体のＷｅｂサーバ２が映像情報を閲覧者の端末に提示する手順とを行うことを特徴とする。【選択図】      図１
2004227159.tif 000002
【特許請求の範囲】
【請求項１】
市場に上場している企業のＩＲ情報である映像情報を格納する第１の装置と、市場運営母体によって運営される第２の装置と、前記第１の装置および前記第２の装置を含んで接続される不特定多数からのアクセスが可能であるネットワークとを使用して実現される前記映像情報による前記市場運営母体のＩＲ活動支援サービスの提供方法であって、前記映像情報または前記第１の装置内における前記映像情報の保存先を示す情報のうちの少なくとも１つを、第１の装置から前記第２の装置に伝送する手順と、前記映像情報または前記保存先を示す情報を前記第２の装置に格納する手順と、前記第２の装置に格納されているコンテンツから前記映像情報または前記保存先を示す情報を関連付けて参照可能とする手順と、前記ネットワークに接続された閲覧者の端末からのアクセスを前記第２の装置が受け付けて、前記コンテンツを提示する手順と、前記閲覧者の端末からの前記映像情報または前記保存先を示す情報の提示の要求に応じて、前記第１の装置または前記第２の装置が前記映像情報を前記閲覧者の端末に提示する手順とを前記第１の装置および前記第２の装置が行うことを特徴とする映像情報による市場運営母体のＩＲ活動支援サービスの提供方法。
【請求項２】
前記第１の装置は、前記映像情報を作成するＩＲコンサルティング企業によって運営されることを特徴とする請求項１に記載の映像情報による市場運営母体のＩＲ活動支援サービスの提供方法。
【請求項３】
前記第１の装置または前記第２の装置に格納されている前記映像情報を、情報ポータルサイトのＷｅｂサーバである第３の装置に伝送する手順と、前記第３の装置が前記映像情報を格納して参照可能とする手順と、前記第３の装置が前記映像情報を前記閲覧者の端末に提供する手順とを更に追加することを特徴とする請求項１または請求項２に記載の映像情報による市場運営母体のＩＲ活動支援サービスの提供方法。
【請求項４】
市場に上場している企業のＩＲ情報である映像情報を格納する第１の装置と、市場運営母体によって運営される第２の装置と、前記第１の装置および前記第２の装置を含んで接続される不特定多数からのアクセスが可能であるネットワークとを使用して実現される前記映像情報による前記市場運営母体のＩＲ活動支援サービスの提供方法であって、閲覧者の端末が、ＩＲコンサルティング企業によって運営される前記第１の装置に格納されている前記映像情報、市場上場企業によって運営される前記第１の装置に格納されている前記映像情報、または、前記市場運営母体によって運営される前記第２の装置に格納されている前記映像情報のうち、少なくとも１つの前記映像情報を参照させるための画面を前記映像情報を前記第２の装置から受信して表示し、前記参照させる画面に付されたボタンの押下の入力を受け付けることにより、前記映像情報を、前記第２の装置から受信して提示することを特徴とする映像情報による市場運営母体のＩＲ活動支援サービスの提供方法。
【発明の詳細な説明】
【０００１】
【発明の属する技術分野】
本発明は、映像情報による市場運営母体の当該市場上場企業に対するＩＲ活動支援サービスの提供方法に関する。
【０００２】
【従来の技術】
市場に株式を上場または公開している企業は、経営情報などの企業情報であるＩＲ（Ｉｎｖｅｓｔｏｒｓ  Ｒｅｌａｔｉｏｎ）情報を発信し、投資家から投資対象としてもらうための広報活動を行うことがある。なお、ＩＲ情報は、上場企業が運営するＷｅｂサーバなどから公開されるが、これらのＩＲ情報が点在しているのでは、収集に手間がかかり、投資家やアナリストにとって不便である。
【０００３】
そこで、特許文献１は、ＩＲ情報を発表するイベントについてのイベント情報を収集するステップ、そのイベント情報に基づいて会場に手配した撮影手段により、イベントの模様を事業者が撮影するステップ、ならびに、撮影したイベントの模様をコンテンツデータとしてネットワークを介して配信する配信手段を用いて所定の者の端末に配信するステップを行うことにより、投資家やアナリストにＩＲ情報を効率的に配信するしくみを提案している。
【０００４】
【特許文献１】
特開２００２−２６９４４０号公報（段落［０００９］など）
【０００５】
【発明が解決しようとする課題】
ここで、インターネットなどの情報伝達技術の発展により、投資活動に関する地理的および時間的な制約が緩和されたことにより、市場運営母体間の競争は、国際的にも激化している。そこで、市場運営母体は、投資対象として魅力のある多くの企業を、その市場運営母体の市場上場企業として囲い込みたいというニーズをもっている。市場運営母体の市場上場企業が増加することにより、多くの投資が行われ、その投資における手数料が市場運営母体の利益となるためである。そのためには、市場上場企業に関するＩＲ情報を積極的に開示して、投資家からの信頼を得ることが必要となる。
【０００６】
ところが、ＩＲ情報を作成および開示するコストの負担により、ＩＲ情報の開示を行っていない市場上場企業や、既にＩＲ情報を作成して開示しても、なかなか認知されない市場上場企業も多い。そこで、それらの市場上場企業に関するＩＲ活動を支援して、そのＩＲ情報を効率的に、広範に、包括的に、投資家に閲覧させるしくみが必要となる。
【０００７】
そこで本発明は、前記に鑑み、市場上場企業のＩＲ活動を支援して、市場運営母体が運営する市場を活性化させるためのしくみを提供することを、主な目的とする。
【０００８】
【課題を解決するための手段】
本発明は、前記目的を達成するために創案されたものであり、まず、請求項１に記載のＩＲ活動支援サービスの提供方法は、市場に上場している企業のＩＲ情報である映像情報を格納する第１の装置と、市場運営母体によって運営される第２の装置と、前記第１の装置および前記第２の装置を含んで接続される不特定多数からのアクセスが可能であるネットワークとを使用して実現される前記映像情報による前記市場運営母体のＩＲ活動支援サービスの提供方法であって、前記映像情報または前記第１の装置内における前記映像情報の保存先を示す情報のうちの少なくとも１つを、第１の装置から前記第２の装置に伝送する手順と、前記映像情報または前記保存先を示す情報を前記第２の装置に格納する手順と、前記第２の装置に格納されているコンテンツから前記映像情報または前記保存先を示す情報を関連付けて参照可能とする手順と、前記ネットワークに接続された閲覧者の端末からのアクセスを前記第２の装置が受け付けて、前記コンテンツを提示する手順と、前記閲覧者の端末からの前記映像情報または前記保存先を示す情報の提示の要求に応じて、前記第１の装置または前記第２の装置が前記映像情報を前記閲覧者の端末に提示する手順とを前記第１の装置および前記第２の装置が行うことを特徴とする。
【０００９】
かかる方法によれば、市場運営母体は、市場運営母体の運営する第２の装置に、当該市場上場のＩＲ映像情報が包括的に集まる仕組みが完成することにより、取引の増加を促すことができる。それにより、市場運営母体は、売買高の増加に伴う手数料収入の増加、ならびに、市場の活性化に伴う新規公開の増加を享受することができる。その他の解決手段については、以下の実施形態で詳細に説明するものとする。
【００１０】
【発明の実施の形態】
以下に、本発明が適用されるＩＲ活動支援システムの一実施形態について、図面を参照して詳細に説明する。まず、本実施形態のＩＲ活動支援システムの構成について、図１を参照して説明する。
【００１１】
まず、ＩＲ活動支援システムの対象となる市場は、株式の売買が行われる市場を運営する市場運営母体と、市場に上場している市場上場企業と、市場上場企業に関するＩＲ情報の作成を支援するＩＲコンサルティング企業と、市場上場企業に関する情報などを提供するサイトを運営する情報ポータルサイトの運営者と、ＩＲ情報を閲覧して所望の市場上場企業に関する株式の売買を行う閲覧者と、株の売買の取引を行う際の取引を行う者の窓口となる証券会社とを含んで形成されるものとする。
【００１２】
そこで、図１に示すＩＲ活動支援システムは、市場運営母体が、市場上場企業に関するＩＲ活動を支援するしくみを提供する。よって、ＩＲ活動支援システムは、市場上場企業のＩＲ情報を格納する市場上場企業のＷｅｂサーバ１（請求項における第１の装置に相当）と、市場運営母体によって運営され、市場上場企業に関するＩＲ情報を提供する市場運営母体のＷｅｂサーバ２（請求項における第２の装置に相当）と、ＷｅｂサーバからのＩＲ情報を２次配信する情報ポータルサイトのＷｅｂサーバ３（請求項における第３の装置に相当）と、ＩＲ情報を閲覧させる閲覧者の端末４と、インターネットなどの不特定多数からのアクセスが可能であるネットワーク９とを含んで構成される。
【００１３】
次に、図２は、ＩＲ活動支援システムを構成する各装置の機能ブロック図である。ＩＲ情報を提示するＷｅｂサーバ（市場上場企業のＷｅｂサーバ１、市場運営母体のＷｅｂサーバ２、ならびに、情報ポータルサイトのＷｅｂサーバ３）は、提示するＩＲ情報を格納するＩＲ情報格納手段と、他端末からのアクセスの管理やＩＲ情報格納手段からのＩＲ情報の検索などの制御を行う制御手段と、ＮＩＣ（Ｎｅｔｗｏｒｋ  Ｉｎｔｅｒｆａｃｅ  Ｃａｒｄ）などにより構成されて他端末とのデータの通信を行う通信手段とを有する。また、閲覧者の端末４は、ネットワーク９に接続されて他端末とのデータの通信を行う通信手段と、ＣＲＴ（Ｃａｔｈｏｄｅ−ＲａｙＴｕｄｅ）などにより構成されてＩＲ情報を閲覧者に提示する表示手段と、キーボードまたはマウスなどにより構成されて閲覧者からの入力を受け付ける入力手段とを含んで構成される。
【００１４】
以上、本実施形態のＩＲ活動支援システムの構成について、説明した。次に、図１および図２を参照しつつ、本実施形態のＩＲ活動支援システムの動作について、図３および図４に沿って説明する。なお、図３は、市場運営母体のＷｅｂサーバ２の動作に着目したフローチャートである。また、図４は、閲覧者の端末４の動作に着目したフローチャートである。以下、ＩＲ活動支援システムの動作の概要について、図３を用いて説明する。
【００１５】
まず、Ｓ１０１（前準備）について、説明する。市場上場企業は、必要に応じてＩＲコンサルティング企業の支援を受けながら、ＩＲ情報として、映像情報を作成する。なお、映像情報は、例えば、市場上場企業の経営者によるスピーチ、株主総会、または、経営者とアナリストとのミーティングの模様を、カメラなどの撮影手段（図示は省略）により撮影されたものである。ここで、ＩＲコンサルティング企業は、経営者によるスピーチの内容などについて、映像情報の作成を助言してもよい。そして、市場上場企業のＷｅｂサーバ１は、作成されたＩＲ情報を、ＩＲ情報格納手段に登録させる。ここで、市場上場企業のＷｅｂサーバ１の運営者は、市場上場企業に限定されるものではなく、ＩＲコンサルティング企業またはインターネットプロバイダなどが運営を行ってもよい。
【００１６】
次に、Ｓ１０２（ＩＲ情報の読み込み）について、説明する。市場運営母体のＷｅｂサーバ２は、市場上場企業のＷｅｂサーバ１から、ＩＲ情報の通知を受ける。この際、市場運営母体のＷｅｂサーバ２は、ＩＲ情報の内容そのものをデータとして受け取ってもよいし、市場上場企業のＷｅｂサーバ１内に格納されたＩＲ情報の格納先を示す情報を、参照として受け取ってもよい。なお、参照は、例えば、ＵＲＬ（Ｕｎｉｆｏｒｍ  Ｒｅｓｏｕｒｃｅ  Ｌｏｃａｔｏｒ）形式で記述される。
【００１７】
そして、Ｓ１０３（ＩＲ情報の登録）について、説明する。市場運営母体のＷｅｂサーバ２は、通知を受けたＩＲ情報（またはＩＲ情報への参照）を、市場運営母体のＷｅｂサーバ２内のＩＲ情報格納手段に登録する。そして、市場運営母体のＷｅｂサーバ２は、閲覧者の端末４などのＷｅｂクライアントからのアクセス要求に応じて提示するコンテンツから、登録したＩＲ情報を提供できるように、コンテンツからＩＲ情報への参照を付加する。
【００１８】
さらに、Ｓ１０４（閲覧者からのアクセス）について、説明する。市場運営母体のＷｅｂサーバ２は、閲覧者の端末４からのアクセス（接続の要求）を受け、閲覧者の端末４に、コンテンツを提供する。提供されたコンテンツは、ネットワーク９を介して、閲覧者の端末４に送信され、表示手段上のコンテンツ表示ソフトウェア（Ｗｅｂブラウザ）によって、閲覧者に提示される。なお、ＷｅｂサーバとＷｅｂクライアントとのコンテンツのやりとりは、例えば、ＨＴＴＰ（ＨｙｐｅｒＴｅｘｔ  Ｔｒａｎｓｆｅｒ  Ｐｒｏｔｏｃｏｌ）に従った手順で行われる。
【００１９】
そして、Ｓ１０５（ＩＲ情報の提示）について、説明する。閲覧者の端末４は、入力手段を介して、閲覧者からのＷｅｂブラウザに対する操作を受け付ける。
そして、市場運営母体のＷｅｂサーバ２は、閲覧者がトップページ（アクセスから最初に提供されるコンテンツ）から様々な操作を行うことにより、所望の市場上場企業に関するＩＲ情報を、閲覧者の端末４に提供する。
【００２０】
以上、本実施形態のＩＲ活動支援システムの動作の概要について、図３を用いて説明した。次に、図３におけるＳ１０５（ＩＲ情報の提示）についての、より具体的な動作について、図４を用いて説明する。なお、図４は、閲覧者の端末４の動作に着目したフローチャートである。
【００２１】
まず、Ｓ２０１（市場上場企業の検索方法の選択）について、説明する。閲覧者の端末４は、市場上場企業を閲覧者に検索させるために、まず、検索方法を閲覧者に選択させる。ここで、検索方法は、例えば、市場上場企業に関する属性情報（会社名など）を所定のキーワードにより検索する方法、ＩＲ情報に関する属性情報（更新日時など）をキーとして検索する方法、または、閲覧者が事前に登録している市場上場企業（例えば、ポートフォリオによる登録）から検索する方法である。
【００２２】
次に、Ｓ２０２（市場上場企業の検索条件の入力）について、説明する。閲覧者の端末４は、Ｓ２０１（市場上場企業の検索方法の選択）によって選択された検索方法を閲覧者に提示し、閲覧者からの検索条件の入力を受け付ける。なお、検索条件は、例えば、会社名に“ネットワーク”という文字列が含まれていること、ＩＲ情報のデータ量が１００ＫＢｙｔｅ以上のもの、または、市場上場企業を特定するための企業コードが“０１２３”であること、などが挙げられる。
【００２３】
そして、Ｓ２０３（検索条件に適合する市場上場企業のリストの提示）について、説明する。閲覧者の端末４は、閲覧者から入力された検索条件を、市場運営母体のＷｅｂサーバ２に問い合わせて検索を指示する。そして、閲覧者の端末４は、検索条件に適合する検索結果である市場上場企業のリスト（一覧）を、市場運営母体のＷｅｂサーバ２から受信し、表示手段を介して閲覧者に提示する。
【００２４】
さらに、Ｓ２０４（市場上場企業のリストからの企業の選択）について、説明する。閲覧者の端末４は、市場上場企業のリストから、閲覧者に所望の市場上場企業を選択させる。
【００２５】
そして、Ｓ２０５（選択された市場上場企業のＩＲ情報を提示）について、説明する。閲覧者の端末４は、選択された市場上場企業に関するＩＲ情報を、閲覧者に提示する。なお、ＩＲ情報が複数ある場合は、まず、閲覧者の端末４は、ＩＲ情報のリストを提示する。そして、閲覧者の端末４は、ＩＲ情報のリストを構成する文字列に対応するボタン（請求項における画面に付されたボタンに相当）へのマウスクリックなどにより、閲覧者から選択されたＩＲ情報を、格納されているＷｅｂサーバ（市場上場企業のＷｅｂサーバ１、市場運営母体のＷｅｂサーバ２、または、情報ポータルサイトのＷｅｂサーバ３）から取得して、閲覧者に提示する。
【００２６】
以上、本発明の一実施形態について説明した。かかる構成によれば、市場運営母体が、市場上場企業に関するＩＲ活動を支援するしくみが提供される。これにより、ＩＲ活動支援システムは、対象とする市場に関わる各企業および各個人に、様々な利益を与えることができる。
【００２７】
まず、市場運営母体は、市場運営母体の運営するホームページに、当該市場上場のＩＲ映像情報が包括的に集まる仕組みが完成することにより、取引の増加を促すことができる。それにより、市場運営母体は、売買高の増加に伴う手数料収入の増加、ならびに、市場の活性化に伴う新規公開の増加を享受することができる。
【００２８】
次に、市場上場企業は、情報開示の間口が大きく広がることにより、自社の認知度が向上し、適正な自社の株価を形成させることができる。
【００２９】
そして、ＩＲコンサルティング会社は、取引の増加に伴う市場の活性化により、ＩＲ情報を作成する需要が増えるので、ＩＲ情報の作成支援に伴う利益を享受できる。
【００３０】
さらに、証券会社は、市場上場企業と投資家（閲覧者）がより直接的に繋がることにより、株式市場が活性化し、売買高の増加に伴う手数料収入の増加を期待できる。
【００３１】
また、閲覧者は、動画による企業のＩＲ情報に触れる機会が増加し、効率的にＩＲ情報を閲覧できる。よって、閲覧者は、定性的な判断も可能となり、新たな銘柄選択機会が与えられる。
【００３２】
以上説明した本発明は、発明の趣旨を逸脱しない範囲で広く変形実施することができる。
【００３３】
例えば、Ｓ１０３（ＩＲ情報の登録）において、市場運営母体のＷｅｂサーバ２は、通知されたＩＲ情報を、情報ポータルサイトのＷｅｂサーバ３に通知してもよい。そして、Ｓ１０４（閲覧者からのアクセス）およびＳ１０５（ＩＲ情報の提示）において、閲覧者の端末４は、市場運営母体のＷｅｂサーバ２にアクセスする替わりに、情報ポータルサイトのＷｅｂサーバ３にアクセスして、ＩＲ情報を閲覧する処理としてもよい。これにより、情報ポータルサイトの運営者は、ＩＲ情報という新たなコンテンツを提供できるため、アクセス数が増加し、それに伴ってオンライン広告などの収入増加が期待される。
【００３４】
また、市場上場企業のＷｅｂサーバ１と市場運営母体のＷｅｂサーバ２とは別々の装置とする構成としたが、同一の装置とする構成としてもよい。つまり、ＩＲ情報は、Ｓ１０１（前準備）にて、市場運営母体のＷｅｂサーバ２に直接登録される動作を行ってもよい。
【００３５】
【発明の効果】
本発明により、市場運営母体からＩＲ情報を効率的に閲覧させる仕組みが提供される。それにより、市場上場企業の認知度が向上し、取引量が増加するなど市場が活性化する。そして、市場の活性化により、市場に参加する企業および個人は、利益を享受することができる。
【図面の簡単な説明】
【図１】本発明の一実施形態に係るＩＲ活動支援システムの構成図である。
【図２】本発明の一実施形態に係るＩＲ活動支援システムを構成する各装置の機能ブロック図である。
【図３】本発明の一実施形態に係るＩＲ活動支援システムの動作の概要を示すフローチャートである。
【図４】本発明の一実施形態に係るＩＲ活動支援システムの動作におけるＩＲ情報の提示処理を示すフローチャートである。
【符号の説明】
１…市場上場企業のＷｅｂサーバ
２…市場運営母体のＷｅｂサーバ
３…情報ポータルサイトのＷｅｂサーバ
４…閲覧者の端末
９…ネットワーク
【図１】
2004227159.tif 000003
【図２】
2004227159.tif 000004
【図３】
2004227159.tif 000005
【図４】
2004227159.tif 000006